(57)【要約】【課題】本発明はさつま芋が匍匐性で葉が重なり合い葉に陽光があたりにくい部分ができ通風も良くないことを解決することで、塊根の収量を増してさら観賞・緑化にも利用できる巻蔓性が強いさつま芋を作出することとその加工品あるいは加工品材料を提供する。【解決手段】さつま芋の蔓を支柱に巻き付けた形状の状態で栽培し続ける栽培手段に起因した形状変化あるいは形態変化を誘発して強固に巻き付く巻蔓の形状あるいは形態の特質を導きだし、特質が強固に巻き付くまき蔓性のさつま芋を作出することである。【選択図】図１
2017201952.tif 000002
【特許請求の範囲】
【請求項１】
さつま芋の蔓を支柱に巻き付けた形状の状態で栽培し続ける栽培手段に起因した形状変化あるいは形態変化を誘発して強固に巻き付く巻蔓の形状あるいは形態の特質を導きだし、特質が強固に巻き付く巻蔓性のさつま芋を作出することを特徴とする特質が強固に巻き付く巻蔓性のさつま芋。
【請求項２】
クローン又は子孫の形状特質、形態特質の特質転換あるいは改質を有することを特徴とする請求項1に記載のさつま芋。
【請求項３】
請求項１または請求項２記載のさつま芋の加工品あるいは加工品材料。
【発明の詳細な説明】
【技術分野】
【０００１】
本発明は特質が強固に巻き付く巻蔓性のさつま芋に関するものである。
【背景技術】
【０００２】
従来はさつま芋の新品種を改良する方法に突然変異を利用する、または種子を採取する方法等が知られている。
【先行技術文献】
【特許文献】
【０００３】
【特許文献１】特開昭６２−１５８４３１
【非特許文献】
【０００４】
【非特許文献１】坂井健吉著書「さつまいも」  法政大学出版局
【発明の概要】
【発明が解決しようとする課題】
【０００５】
特許文献１では甘藷の栽培方法として蔓を支持体で支えて上方に伸ばす栽培が記載されている。非特許文献１は棚作り栽培方法で最初だけ誘引すると後はかなり巻きついたが強風に合うと蔓ははがれて落ちるのでその修復に苦労すると記載されている。特許文献１は支持体で支え・非特許文献1は棚作りでともに蔓を上方に誘引する方法で人為的に蔓を巻きつける方法とは異なる。また強固に巻き付く特質を獲得する手段ではない。本発明は従来の欠点に鑑みサツマイモが匍匐性で葉が重なり合い葉に陽光があたりにくい部分ができ通風もよくないことを解決することで、塊根の収量を増し、さらに観賞用・緑化にもできる巻蔓性が強いさつま芋を作出することで特質が強固な巻蔓性のさつま芋を提供することを目的としている
【課題を解決するための手段】
【０００６】
上記目的を達成するために本発明請求項１は、さつま芋の蔓を支柱に巻き付けた形状の状態で栽培し続ける栽培手段に起因した形状変化あるいは形態変化を誘発して強固に巻き付く巻蔓の形状あるいは形態の特質を導きだし、特質が強固に巻き付く巻蔓性のさつま芋を作出することである。
【０００７】
本発明の請求項２は請求項１記載のさつま芋のクローン又は子孫の形状特質あるいは形態特質の特質転換・改質である。
【０００８】
本発明の請求項３は、請求項１・請求項２記載のさつま芋の加工品・加工品材料である。
【発明の効果】
【０００９】
以上説明で明らかのように本発明は支柱・ネット等に蔓を巻きつけて栽培する手段で強固に支柱に巻き付く巻蔓の状態を特質とするその特質の形態をさつま芋に獲得させる栽培方法で、強固な巻蔓の形状に特質を変化させてさつま芋が巻き付いた環境に適応し多花性になり観賞用さつま芋としてネット支柱に巻き付きたくさんの花が咲きガーデニング・グリーンカーテン・壁面緑化などへの利用ができ経済効果がある
【００１０】
支柱に巻き付くことで通風がよく葉に光が当たる面積が多くなり光合成が増し、高い栄養成分あるいは有用成分ができるので食品・栄養補助食品などにも塊根だけでなく葉等の他の部分も有効に利用ができる
【図面の簡単な説明】
【００１１】
【図１】本発明の第一の実施例は捻じれが強く現れた先端の挿し苗の図。
【図２】本発明の第二の実施例は螺旋状に支柱に巻き付けて結束した状態で栽培中のさつま芋の図
【図３】本発明の第三の実施例は蔓が捻じれ強固に巻き付く状態の蔓の部分の図。
【図４】本発明の第四の実施例は微弱な巻蔓性のさつま芋が強固な巻蔓となった図面代用写真。
【図５】本発明の第五の実施例は匍匐性の強いさつま芋を図４と同じ環境で栽培して巻蔓が弱く出現した図面代用写真。
【図６】本発明の第六の実施例は多花性に変化した図面代用写真。
【図７】本発明の第七の実施例は花をつけた小苗の図面代用写真。
【図８】本発明の第八の実施例は蔓が強く撚れて巻き付く部分の図面代用写真。
【発明を実施するための形態】
【００１２】
本発明の課題を解決するための手段を説明する。 
従来さつま芋の特性を維持するあるいは増殖等の目的で゛挿し苗をして増殖繰り返す栽培方法であるが、本発明はさつま芋の蔓の形状を改良し巻蔓性のさつま芋を作出し塊根の収量・成分量を増す目的の栽培方法である。巻蔓性のさつま芋を作出する手段はサツマイモの生育期に蔓の生長点のある先端部２を挿し苗に適した長さ１５〜３０センチメートル程に切り取り育苗用ポット等の苗床に挿し発根３させて越冬させ、越冬後生育適期に定植することを繰り返すことで何年経過しても最初に植え付けた蔓の先端部を生育させ続ける栽培手段であるが、改良が進んで巻蔓性が確認できるようになった塊根からの切り苗も巻蔓となる。生育期に支柱やネットを設置したプランターや畑に定植し人為的に支柱４に巻き付けるので、蔓に強い負担がかかると折れ曲がるため負担は最小限にし、撚るように捻りながら湾曲させて捻じって支柱に沿って馴染むように巻きつける。蔓に撚を加えて捻じると共に支柱やネットに巻き付け蔓が巻き戻らないようにゆるく結束５するか、ピンチ等の留め具で蔓の生育を妨げないようにゆるく固定する。生育して蔓が伸びるに従い巻きつけ、結束を繰り返し気温が低下する冬以前に蔓先端を採取し越冬させるサイクルでさつま芋を継続して栽培する越冬期間中の昼間は２５度から夜間は４度程で温度差があり夜間の１０度から４度の低温に発根させた苗は耐えられるので低温でも越冬できる環境でさつま芋の休眠期がなくなり巻蔓性の進化に要する栽培期間が短縮され、栽培サイクルの低温期も繰り返すのでさつま芋の低温耐性が増し、巻蔓の特質に加え低温耐性の特質が増強する。さつま芋は栄養繁殖植物なので塊根・葉・茎等のどの部分からでも発芽させ増殖はできるが、塊根を種芋として貯蔵越冬させる方法に比べて発根させた苗で越冬させると塊根で貯蔵するより低温で越冬させることができ、越冬を繰り返すことでより低温環境に順応する。
【００１３】
本発明の手段は螺旋状に蔓が捻じれて生育する藤・朝顔等の蔓性植物の様な捻じれを人為的にさつま芋の蔓に撚りを加えて捻じることで撚られた方向に湾曲してループ状になることを利用して支柱に巻きつけると不規則な撚りの形状（図２に例示）になる。蔓を人為的な力でコイルバネのような巻蔓形状に成型して栽培することで蔓に形状変化を与えて強固な巻蔓性に変化あるいは変異する起因となる捻じれのある巻蔓の形状特質あるいは形態の特質をさつま芋に獲得させる人為的な形状変化で巻蔓の形状あるいは形態が誘発されて導き出される栽培手段で巻蔓性のさつま芋を作出する。さらに巻蔓の特質を獲得したさつま芋の蔓の一部が強く撚れて巻きつくピッチが小さい部分６（図８に例示）を選択して切り取り挿し苗（図１に例示）することで強く巻きつく特質がより速く作出できるのでその部分からの蔓先端７は巻蔓性の獲得に効果的である。支柱等に蔓を巻き付ける手段は人為的に蔓を物理的な力を加えて蔓を撚るように捻じりながら湾曲させて捻じって支柱に沿ってなじませ支柱に巻き付け人為的にさつま芋の生育環境を巻蔓の状態にするとさつま芋はその状態で自然界に年月の時を経過すると順応して蔓を結束しなくても支柱に強固に巻き付く特質を獲得させる栽培による作出方法である。以下ページの記述は酒井健吉著書「さつまいも」著書文献によるものである。２３９ページ〜２４１ページに柵作り栽培方法として２４０ページ７〜１０行目に匍匐性でないさつま芋は最初 にだけ誘引すると後はかなり巻きついたが強風に合うと蔓がはがれ落ちるのでその修復に苦労することが記載されていることから蔓が強固に巻き付かないので修復は柵に持ち上げることになるが蔓を巻き直すことは記載がなく微細な巻蔓の特質がある個体のさつま芋である。また、１２ページの１２〜１４行さつま芋の原種で２倍体のイポメア・トルフィーダは巻蔓の特性がある個体で、現在のさつま芋は６倍体の品種で巻蔓の特性がわずかに観られる品種もあるが、巻蔓の特性は現在観られない品種であっても、人為的に支柱に巻き付けつけることでさつま芋の生育環境を変えると、強固に支柱等に巻き付く巻蔓の特質に変化あるいは変異を導き出し転換を促進させる。
【００１４】
坂井健吉著書「さつまいも」に種子による新品種の作出・突然変異を利用し新しい品種を作出する等のさつま芋に優れた特質が現れた塊根から切苗を採取する手段の改良が記載されているが本発明は物理的な手段の作出方法で蔓は巻きつけられた環境に適応するように徐々に支柱に巻き付くような特質に変化したさつま芋が朝顔の様に蔓が支柱に巻き付くようになる特質をさつま芋に獲得させる栽培手段で本発明はサツマイモの蔓が強固に支柱等に巻き付く特質を獲得するため人為的に蔓を支柱等に巻き付け支柱に結束して巻き戻りがないようにして栽培する本発明の実施例は５・６年で直線状であった蔓の先端が横向きの円弧状に少し曲がる蔓が現れその後２・３年で支柱に蔓先端が支柱に２・３周 巻き付くようになりさらに経過年数とともに定植後支柱に巻き付き始めるが強風で蔓が巻き戻されたり夏の強光・高温で蔓がずり落ちたりするので蔓の結束は必要であるが、１０年程を経過すると蔓は結束をしなくても支柱に強固に巻き付く特質を獲得することができた対比栽培の匍匐性の強いさつま芋の品種（図４に例示）では１０年を過ぎて蔓にわずかな捻じれが出現した匍匐（図５に例示）の強弱で巻蔓性となる期間に差がある。
【００１５】
さつま芋が自然環境に順応して巻きつけられた状態で適応して、形状が巻蔓性に変化する形状変化あるいは形態変化を誘発する変異の起因になる。植物が環境に順応し変化する自然法則は生育環境が異なると同一の植物であっても形状が異なる形態変化が起きる植物の様にさつま芋においても生育環境を人為的に変えることで形状の変化が起きるのでさつま芋の蔓が巻きつけられた状態に置かれることがさつま芋の新たな環境となり、さつま芋の微弱な巻蔓の特質が強固な巻蔓に変化し新たな人為的環境に順応することで進化を早める栽培手段で蔓を巻きつける手段は蔓が強固に巻き付く特質をさつま芋が獲得する人為的な作出方法の栽培である。７４ページ生理的な特性で７５ページ３・４行目に開花困難性が記載されているが巻蔓性に変化することで開花は容易で多花性（図６に例示）に変化した強固な巻蔓である特質のさつま芋は光合成が改善されるので多花性で塊根が多収となる環境に順応した形態となる。また、１３９ページ開花・結実性の向上に関する研究の記載されている１４０ページ５・６行目に越冬法とか永久栽培として記載があるが、冬も栽培を継続する方法は種子を得る目的であり蔓先端を越冬させ巻蔓性に改良する目的で最初に植え付けた蔓先端を継続して育成する方法とは異なる目的ではあるが、さつま芋が育成環境に適応していれば越冬は可能で塊根を休眠させる貯蔵方法より葉の付いた生育状態は低温に耐えられる。本発明の巻蔓性に変化することでさつま芋が環境に順応し多花性になり、多花性となった本発明例の巻蔓性のさつま芋は蔓先端部に花芽が付きやすくなり、その先端部を挿し苗すると発根と同時に花芽も生長して地上部１５センチメートル程の小苗（図７に例示）でも開花が観られる形態変化、さらに葉と葉の関節が長くなる等の形状の変化が本発明例では現れ支柱に蔓を巻きつけて形状を変化させると形態が変化し、巻蔓の特質のさつま芋は多花性（図６に例示）になることで観賞用植物として支柱やネットに巻き付くことでたくさんの花が咲きガーデニング等に使用できグリーンカーテン・壁面緑化などへの利用でき経済効果がある。また支柱に巻き付くことで葉に光が当たる面積が多くなり光合成が増し、高い成分・栄養価ができるので食品・栄養補助食品・食品染料・繊維染料などにも葉等も利用できる。
【産業上の利用可能性】
【００１６】
本発明の強固に巻き付く巻蔓の特質となったさつま芋は多花性になることで観賞用植物として支柱やネットに巻き付くことでたくさんの花が咲きガーデニング等に使用できグリーンカーテン・壁面緑化などへの利用でき経済効果がある。また支柱に巻き付くことで葉に光が当たる面積が多くなり光合成が増し、高い成分栄養価ができるので食品・栄養補助食品染料などにも葉等も利用する。
【符号の説明】
【００１７】
１  さつま芋
２  先端部
３  発根
４  支柱
５  結束
６  ピッチが小さい部分
７  蔓先端  
【図１】
2017201952.tif 000003
【図２】
2017201952.tif 000004
【図３】
2017201952.tif 000005
【図４】
2017201952.tif 000006
【図５】
2017201952.tif 000007
【図６】
2017201952.tif 000008
【図７】
2017201952.tif 000009
【図８】
2017201952.tif 000010
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
さつま芋の蔓を支柱に巻き付けた形状の状態で栽培し続ける栽培手段に起因した形状変化あるいは形態変化を誘発して巻蔓の形状あるいは形態の特質を導きだし、巻蔓性の特質を獲得させることを特徴とする巻蔓性のさつま芋の作出方法。
【請求項２】
請求項１記載の作出方法で獲られた巻蔓性のさつま芋の特質を有することを特徴とするクローン又は子孫の形状特質の改質方法。
【請求項３】
請求項１または請求項２記載の方法で獲られた巻蔓性のさつま芋の特質を有することを特徴とする巻蔓性のさつま芋の加工品。
【手続補正２】
【補正対象書類名】明細書
【補正対象項目名】０００６
【補正方法】変更
【補正の内容】
【０００６】
上記目的を達成するために本発明請求項１は、さつま芋の蔓を支柱に巻き付けた形状の状態で栽培し続ける栽培手段に起因した形状変化あるいは形態変化を誘発して巻蔓の形状あるいは形態の特質を導きだし、巻蔓性の特質を獲得させることを特徴とする巻蔓性のさつま芋の作出方法である。
【手続補正３】
【補正対象書類名】明細書
【補正対象項目名】０００７
【補正方法】変更
【補正の内容】
【０００７】
本発明の請求項２は、請求項１記載の作出方法で獲られた巻蔓性のさつま芋の特質を有することを特徴とするクローン又は子孫の形状特質の改質方法である。
【手続補正４】
【補正対象書類名】明細書
【補正対象項目名】０００８
【補正方法】変更
【補正の内容】
【０００８】
本発明の請求項３は、請求項１または請求項２記載の方法で獲られた巻蔓性のさつま芋の特質を有することを特徴とする巻蔓性のさつま芋の加工品である。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
さつま芋の蔓を支柱に巻き付けた形状の状態で栽培し続ける栽培手段に起因した形状変化あるいは形態変化を誘発して巻蔓の形状あるいは形態の特質を導きだし、巻蔓性の特質を獲得させることを特徴とする巻蔓性のさつま芋の作出方法。
【請求項２】
請求項１記載の作出方法で得られた巻蔓性のさつま芋の特質を有することを特徴とするクローン又は子孫の形状特質の改質方法。
【請求項３】
請求項１または請求項２記載の方法で得られた巻蔓性のさつま芋の特質を有することを特徴とする巻蔓性のさつま芋の加工品。
【手続補正２】
【補正対象書類名】明細書
【補正対象項目名】０００６
【補正方法】変更
【補正の内容】
【０００６】
上記目的を達成するために本発明請求項１は、さつま芋の蔓を支柱に巻き付けた形状の状態で栽培し続ける栽培手段に起因した形状変化あるいは形態変化を誘発して巻蔓の形状あるいは形態の特質を導きだし、巻蔓性の特質を獲得させることを特徴とする巻蔓性のさつま芋の作出方法である。
【手続補正３】
【補正対象書類名】明細書
【補正対象項目名】０００７
【補正方法】変更
【補正の内容】
【０００７】
本発明の請求項２は、請求項１記載の作出方法で得られた巻蔓性のさつま芋の特質を有することを特徴とするクローン又は子孫の形状特質の改質方法である。
【手続補正４】
【補正対象書類名】明細書
【補正対象項目名】０００８
【補正方法】変更
【補正の内容】
【０００８】
本発明の請求項３は、請求項１または請求項２記載の方法で得られた巻蔓性のさつま芋の特質を有することを特徴とする巻蔓性のさつま芋の加工品である。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
さつま芋の蔓を支柱に巻き付けた形状の状態で栽培し続ける栽培手段に起因した形状変化あるいは形態変化を誘発して巻蔓の形状あるいは形態の特質を導きだし、巻蔓性の特質を獲得させることを特徴とする巻蔓性のさつま芋の作出方法。